(57)【要約】      （修正有）【課題】コピー管理を確実に行い得るデータ処理装置を実現する。【解決手段】データ処理装置及びデータ処理方法において、管理データに基づくコピー制限の内容に応じて、複数の出力端子のうち指定された１の出力端子のみを介してディジタルデータを出力するように、各出力端子を制御することにより、管理データに基づくコピー制限がある場合にのみコピー制限を施すことができるため、複数の出力端子を介して無制限なダビングが実行されるのを未然に回避することができ、かくしてデータ管理を確実に行い得るデータ処理装置及びデータ処理方法を実現し得る。【選択図】図２
2010259080.tif 000002
【特許請求の範囲】
【請求項１】
ディジタルデータと当該ディジタルデータに対応するコピー管理データとを放送波を介して受信する受信手段と、
受信された上記ディジタルデータを第１のデータフォーマットで外部に出力する第１の出力手段と、
受信された上記ディジタルデータを上記第１のデータフォーマットとは異なる第２のデータフォーマットで外部に出力する第２の出力手段と、
上記コピー管理データに基づき上記第１及び上記第２の出力手段からの出力動作を制御する制御手段を有し、
上記制御手段は、上記コピー管理データの内容が「自由にコピーしても良い」場合は、上記第１及び第２の出力手段からの出力を許容し、また、
上記コピー管理データの内容が「コピー禁止」あるいは「一度だけコピーを認める」であり、上記第２の出力手段から出力する場合は、上記第２のフォーマットを暗号化し、暗号化され第２のフォーマットのデータを第２の出力手段から出力するように制御する
ことを特徴とする放送データ処理装置。
【請求項２】
上記第１の出力手段から出力する際には、上記コピー管理データの内容に応じた第１の出力用コピー制限情報を重畳して外部に出力する
ことを特徴とする請求項１に記載の放送データ処理装置。
【請求項３】
上記第２の出力手段から出力する際には、上記コピー管理データの内容に応じた第２の出力用コピー制限情報を重畳して外部に出力する
ことを特徴とする請求項１に記載の放送データ処理装置。
【請求項４】
ディジタルデータと当該ディジタルデータに対応するコピー管理データとを放送波を介して受信手段によって受信し、
第１の出力手段によって受信された上記ディジタルデータを第１のデータフォーマットで外部に出力し、
第２の出力手段によって受信された上記ディジタルデータを上記第１のデータフォーマットとは異なる第２のデータフォーマットで外部に出力し、
制御手段によって、上記コピー管理データに基づき上記第１及び上記第２の出力手段からの出力動作を制御し、
上記制御手段は、上記コピー管理データの内容が「自由にコピーしても良い」場合は、上記第１及び第２の出力手段からの出力を許容し、また、
上記コピー管理データの内容が「コピー禁止」あるいは「一度だけコピーを認める」であり、上記第２の出力手段から出力する場合は、上記第２のフォーマットを暗号化し、暗号化され第２のフォーマットのデータを第２の出力手段から出力するように制御する
ことを特徴とする放送データ処理方法。
【発明の詳細な説明】
【技術分野】
【０００１】
本発明はデータ処理装置及びデータ処理方法に関し、例えばディジタル放送（ＤＶＢ：Ｄｉｇｉｔａｌ  Ｖｉｄｅｏ  Ｂｒｏａｄｃａｓｔ）受信装置（ＩＲＤ：Ｉｎｔｅｇｒａｔｅｄ  Ｒｅｃｉｅｖｅｒ  Ｄｅｃｏｄｅｒ）に適用して好適なものである。
【背景技術】
【０００２】
従来、この種のディジタル放送システムにおいては、複数チャンネルの映像データ及び音声データ等をＭＰＥＧ２（Ｍｏｖｉｎｇ  Ｐｉｃｔｕｒｅ  Ｅｘ−ｐｅｒｔｓ  Ｇｒｏｕｐ  Ｐｈａｓｅ  ２）方式を用いて圧縮符号化した後、それぞれ所定単位ごと（例えば１８４〔ｂｙｔｅ〕のデータ量ごと）にパケット（以下、これをＴＳ（Ｔｒａｎｓｐｏｒｔ  Ｓｔｒｅａｍ）パケットと呼ぶ）化して多重化処理することにより、トランスポートストリームを形成し、これをディジタル放送信号として地上波、衛星又はケーブル等を介して伝送するようになされている。
【０００３】
このようなディジタル放送システムでは、受信装置において、ディジタル放送信号として受信したトランスポートストリームに含まれる各ＴＳパケットから所望の番組に対応するＴＳパケットを抽出し、これが圧縮処理と逆の手順に従って元の信号形態の映像データ及び音声データ等に復号するようになされている。
【０００４】
近年、かかる受信装置においては、外部機器と接続するための出力端子として複数のディジタル信号の出力端子（以下、これをディジタル出力端子と呼ぶ）が設けられるようになされている。つまり、上述のように復号して得られた音声データを所定のフォーマットに変換した後、ＩＥＣ（ＩｎｔｅｒｎａｔｉｏｎａｌＥｌｅｃｔｒｏ−ｔｅｃｈｎｉｃａｌ  Ｃｏｍｍｉｔｔｅｅ）９５８フォーマットの光ディジタル音声出力端子を介して外部機器に出力したり、ＩＥＥＥ（Ｉｎｓｔｉｔｕｔｅ  ｏｆ  Ｅｌｅｃｔｒｉｃａｌ  ａｎｄ  Ｅｌｅｃ−ｔｒｏｎｉｃｓ  Ｅｎｇｉｎｅｅｒｓ）１３９４と呼ばれる高速シリアルインタフェイスを介して音声データを外部機器に出力したり、復号前のトランスポートストリーム自体を外部機器に出力することが提案されている。
【０００５】
しかし、ディジタル化された映像データ及び音声データはコピーしても画質及び音質の劣化がないため、ディジタル記録装置を用いて品質の劣化を伴わないコピーをいくつでも作成可能となる。
【０００６】
このため、通常、受信装置側において映像データ及び音声データに所定のコピー管理データ（ＣＣＩ：Ｃｏｐｙ  Ｃｏｎｔｒｏｌ  Ｉｎｆｏｒｍａｔｉｏｎ）を付加してディジタル出力端子からディジタル信号を出力することにより、ディジタル記録装置において当該コピー管理データに基づくコピー制限が行われ、著作権法に背く不法なダビングを防止し得るようになされている。
【０００７】
このコピー管理データは、例えばＩＥＣ９５８に採用されているＳＣＭＳ（Ｓｅｒｉａｌ  Ｃｏｐｙ  Ｍａｎａｇｅｍｅｎｔ  Ｓｙｓｔｅｍ）方式によると、「Ｎｅｖｅｒ  Ｃｏｐｙ」、「Ｃｏｐｙ  Ｏｎｃｅ」及び「Ｃｏｐｙ  Ｆｒｅｅｌｙ」の３通りの情報からなる。すなわち「Ｎｅｖｅｒ  Ｃｏｐｙ」は全くコピーすることができず、「Ｃｏｐｙ  Ｏｎｃｅ」は１回のみコピーすることができ（記録される時には「Ｎｅｖｅｒ  Ｃｏｐｙ」に切り換わる）、「Ｃｏｐｙ  Ｆｒｅｅｌｙ」は何回でもコピーしても良いことを表している。上述のディジタル放送システムでは、このようなコピー管理データを各番組に付加して伝送することによって、著作権法に背く不法なダビングを防止し得るようになされている。
【０００８】
ところが、「Ｃｏｐｙ  Ｏｎｃｅ」を表すコピー管理データが付加されたディジタル放送信号を、上述したような複数のディジタル出力端子が設けられた受信装置で受信してディジタル記録装置に記録する場合を考えると、複数のディジタル出力端子から同時にディジタル信号が出力されてしまうため、複数のディジタル出力端子それぞれにディジタル記録装置が接続された場合には、１回のみのコピーが許可されているにも関わらず、実際には複数のコピーが同時に作成できてしまうことになる。
【０００９】
このため複数のディジタル出力端子が設けられた受信装置を、ペイパーダウンロード（Ｐａｙ  Ｐｅｒ  Ｄｏｗｎｌｏａｄ）（１回ダウンロードする毎に課金が行われるサービス）のようなコピー回数を制限する新たなアプリケーションに対応させることは実用上非常に困難となる問題があった。
【発明の概要】
【発明が解決しようとする課題】
【００１０】
本発明は以上の点を考慮してなされたもので、コピー管理を確実に行い得るデータ処理装置及びデータ処理方法を提案しようとするものである。
【課題を解決するための手段】
【００１１】
かかる課題を解決するため本発明においては、ディジタルデータと当該ディジタルデータに対応するコピー管理データとを放送波を介して受信する受信手段と、受信されたディジタルデータを第１のデータフォーマットで外部に出力する第１の出力手段と、受信されたディジタルデータを第１のデータフォーマットとは異なる第２のデータフォーマットで外部に出力する第２の出力手段と、コピー管理データに基づき第１及び第２の出力手段からの出力動作を制御する制御手段を有し、制御手段は、コピー管理データの内容が「自由にコピーしても良い」場合は、第１及び第２の出力手段からの出力を許容し、また、コピー管理データの内容が「コピー禁止」あるいは「一度だけコピーを認める」であり、第２の出力手段から出力する場合は、第２のフォーマットを暗号化し、暗号化され第２のフォーマットのデータを第２の出力手段から出力するように制御するようにした。
【００１２】
この結果このデータ処理装置では、管理データに基づくコピー制限がある場合にのみコピー制限を施すことができ、複数の出力端子を介して無制限なダビングが実行されるのを未然に回避することができる。
【発明の効果】
【００１３】
上述のように本発明によれば、データ処理装置において、ディジタルデータと当該ディジタルデータに対応するコピー管理データとを放送波を介して受信する受信手段と、受信されたディジタルデータを第１のデータフォーマットで外部に出力する第１の出力手段と、受信されたディジタルデータを第１のデータフォーマットとは異なる第２のデータフォーマットで外部に出力する第２の出力手段と、コピー管理データに基づき第１及び第２の出力手段からの出力動作を制御する制御手段を有し、制御手段は、コピー管理データの内容が「自由にコピーしても良い」場合は、第１及び第２の出力手段からの出力を許容し、また、コピー管理データの内容が「コピー禁止」あるいは「一度だけコピーを認める」であり、第２の出力手段から出力する場合は、第２のフォーマットを暗号化し、暗号化され第２のフォーマットのデータを第２の出力手段から出力するように制御するようにしたことにより、管理データに基づくコピー制限がある場合にのみコピー制限を施すことができるため、複数の出力端子を介して無制限なダビングが実行されるのを未然に回避することができ、かくしてデータ管理を確実に行い得るデータ処理装置を実現し得る。
【図面の簡単な説明】
【００１４】
【図１】図１は、本実施の形態によるディジタル放送システムの構成を示す略線図である。
【図２】図２は、本実施の形態による受信装置の構成を示すブロック図である。
【発明を実施するための形態】
【００１５】
以下図面について、本発明の一実施の形態を詳述する。尚、以下の説明ではディジタル放送システムを使った音楽配信サービス（ＥＭＤ：Ｅｌｅｃｔｒｉｃ  Ｍｕｓｉｃ  Ｄｉｓｔｒｉｂｕｔｉｏｎ）の例を用いて説明するが、音楽配信サービスのみならず、映画配信サービスなどにも適用可能である。
【００１６】
図１において、１は全体として本発明を適用したディジタル放送システム１を示し、送信装置２において、配信される複数の楽曲データをＭＰＥＧ方式によって圧縮符号化した後、それぞれ所定単位ごとにＴＳパケット化して多重化することにより、トランスポートストリームを形成するようになされている。またこのディジタル放送システムでは音楽配信サービス以外にも映画やドラマやニュース等の番組の映像、音声データもＭＰＥＧ方式によって圧縮符号化されて、トランスポートストリームが生成される。このように生成された複数のトランスポートストリームは周波数多重されて送出されるようになっている。
【００１７】
このとき送信装置２では、音楽配信サービスのトランスポートストリーム中に、所定のフォーマットに応じたコピー管理データを記述したＴＳパケットを含めるようになされている。このコピー管理データは、コピーを認めない第１のレベル、一度だけコピーを認める第２のレベル、及び自由にコピーしても良い第３のレベルに分類されている。
【００１８】
つまり、ディジタル衛星放送で送られてくる番組には、違法コピーにより著作権が侵害されないように、著作権情報が含められており、この著作権情報は、トランスポートストリームのＰＭＴ（Ｐｒｏｇｒａｍ  Ｍａｐ  Ｔａｂｌｅ）の中に、そのサービスに係わる著作権情報がコンテンツに付随する形で２つのデスクリプタ（ＤＭ＿ｃｏｐｙ＿ｃｏｎｔｒｏｌ＿ｄｅｓｃｒｉｐｔｏｒ）及び（ｄｉｇｉｔａｌ＿ｃｏｐｙ＿ｃｏｎｔｒｏｌ＿ｄｅｓｃｒｉｐｔｏｒ）として挿入されている。
【００１９】
ＤＭ＿ｃｏｐｙ＿ｃｏｎｔｒｏｌ＿ｄｅｓｃｒｉｐｔｏｒというデスクリプタには、アナログビデオ出力に関する情報が入っており、アナログコピーガードのトリガ情報が入っている。また、ペイ・パー・テープ（磁気テープのような記録媒体に記録する毎に課金が行われるサービス）の情報も入っており、ペイ・パーテープが指定されたコンテンツで、ユーザがテープ記録をする場合には、申告をして追加料金を払うことにより、アナログコピーガードが外される。申告をしない場合には、アナログコピーガードはかかったままとなる。
【００２０】
ｄｉｇｉｔａｌ＿ｃｏｐｙ＿ｃｏｎｔｒｏｌ＿ｄｅｓｃｒｉｐｔｏｒというデスクリプタには、上述のＳＣＭＳと同様なＣＧＭＳ（Ｃｏｐｙ  Ｇｅｎｅｒａ−ｔｉｏｎ  Ｍａｎａｇｅｍｅｎｔ  Ｓｙｓｔｅｍ）の情報が入っており、その情報に応じて、ディジタル出力の制御が行なわれる。
【００２１】
ＣＧＭＳは、２ビットで表される著作権情報で、２ビットの意味は以下のようになる。
【００２２】
「００」の場合にはコピー可能である（Ｃｏｐｙ−ｆｒｅｅｌｙ）。
【００２３】
「０１」はＣＧＭＳでは使用されない。
【００２４】
「１０」はコピーは一度である（Ｃｏｐｙ  Ｏｎｃｅ）。
【００２５】
「１１」はコピー禁止である（Ｃｏｐｙ−Ｎｅｖｅｒ）。
【００２６】
本発明では、上述のｄｉｇｉｔａｌ＿ｃｏｐｙ＿ｃｏｎｔｒｏｌ＿ｄｅ−ｓｃｒｉｐｔｏｒというディスクリプタの記述内容に基づいて、複数のディジタル出力端子からの出力を制御するようにしている。
【００２７】
かくして送信装置２は、上述のように周波数多重されたトランスポートストリームからなるディジタル放送信号Ｓ１を衛星３を介して送信し、送信されたディジタル放送信号はアンテナ４を介して受信装置５に与えられる。
【００２８】
受信装置５は、受信したディジタル放送信号から所望の周波数を選局し、選局されたチャンネルで伝送されたトランスポートストリーム中の所望の楽曲の音声データを含むＴＳパケットを抽出し、これらＴＳパケットに格納されている音声データを復号してスピーカ６に送出すると共に、必要に応じてディジタル出力端子（図示せず）を介して例えばＭＤ（Ｍｉｎｉ  Ｄｉｓｃ）レコーダなどのディジタル録音機器７、８にそれぞれ出力するようになされている。
【００２９】
実際に受信装置５は図２に示すように構成されており、フロントエンド部１０は、アンテナ４を介してディジタル放送信号Ｓ１を受けると、コントロール部１１から送出される選局コマンドＳ２に基づいて、周波数（衛星３のトランスポンダに割り当てられた周波数）を選択する。そして例えばＱＰＳＫ（Ｑｕａｄ−ｒａｔｕｒｅ  Ｐｈａｓｅ  Ｓｈｉｆｔ  Ｋｅｙｉｎｇ）復調及び誤り訂正処理を施すことにより所望の番組の符号化データを含んだトランスポートストリームＤ１を出力する。
【００３０】
続いてデスクランブラ１２は、コントロール部１１から得られる暗号解除信号Ｓ３を用いて、暗号化されているＴＳパケットを順次デスクランブルし、デスクランブルされたトランスポートストリームＤ２をデマルチプレクサ１３に送出する。
【００３１】
デマルチプレクサ１３は、コントロール部１１からユーザが指定した番組に対応する制御信号Ｓ４を受けると、デスクランブラ１２から得られたトランスポートストリームＤ２のうち、指定された番組の音声データを含むＴＳパケットＤ３と、コピー管理データを含むＴＳパケットＤ４を抽出した後、ＴＳパケットＤ３をオーデイオデコーダ１４に送出すると共に、ＴＳパケットＤ４をコントロール部１１に送出する。尚、選択された番組が映画、ドラマ、ニュースなどの場合には、映像データを含むＴＳパケットも抽出されて、図示しないビデオデコーダに供給される。
【００３２】
オーディオデコーダ１４は、コントロール部１１から得られる制御信号Ｓ５に基づいて、抽出されたＴＳパケットに含まれる音声データを復号した後、これをＤ／Ａ（Ｄｉｇｉｔａｌ／Ａｎａｌｏｇ）変換部１５、スイッチ１６の入力端１６Ａ及びスイッチ１７の入力端１７Ａに送出する。
【００３３】
Ｄ／Ａ変換部１５は、得られた音声データＤ５をアナログ変換した後、これをアナログ音声信号Ｓ６としてアナログ出力端子１８を介して外部接続されたスピーカ６（図１）に送出する。この結果スピーカ６からは、アナログ音声信号Ｓ６に基づく音声が放音される。
【００３４】
一方、コントロール部１１は、供給されたＴＳパケットＤ４に含まれるコピー管理データＤCCIを取りだし、当該コピー管理データＤCCIが、コピーを認めない第１のレベル、一度だけコピーを認める第２のレベル、又は自由にコピーしても良い第３のレベルのいずれのレベルかを判断した後、当該判断結果に応じてスイッチ１６、１７にそれぞれ切換え信号Ｓ７、Ｓ８を送出する。
【００３５】
その際コントロール部１１は、復元したコピー管理データＤCCIが第３のレベルであると判断した場合のみスイッチ１６、１７を共にオン状態に接続させ、これに対して、コピー管理データＤCCIが第１又は第２のレベルであると判断した場合にはスイッチ１６、１７のうちユーザが指定したいずれか一方のみオン状態に接続させる。
【００３６】
スイッチ１６がオン状態でかつスイッチ１７がオフ状態の場合、オーデイオデコーダ１４から出力された音声データＤ５は第１のフォーマット処理部１９に与えられる。この第１のフォーマット処理部１９は、例えばＩＥＣ９５８に応じた所定のフォーマットに音声データＤ５を変換した後、第１の音声データＤ６として第１の情報付加部２１に送出する。
【００３７】
この第１の情報付加部２１は、第１の音声データＤ６にコピー管理データＤCCIを付加した後、これをディジタル出力端子２２を介して外部接続されたディジタル録音機器７（図１）に送出する。
【００３８】
一方、スイッチ１６がオフ状態でかつスイッチ１７がオン状態の場合、オーデイオデコーダ１４から出力された音声データＤ５は第２のフォーマット処理部２０に与えられる。この第２のフォーマット処理部２０は、例えばＩＥＥＥ１３９４に応じた所定のフォーマットに音声データＤ５を変換した後、第２の音声データＤ７として第２の情報付加部２３に送出する。
【００３９】
この第２の情報付加部２３は、第２の音声データＤ７にコピー管理データＤCCIを付加すると共に、当該コピー管理データＤCCIが第１又は第２のレベルを表すときのみ第２の音声データＤ７に暗号化処理を施した後、これをディジタル出力端子２４を介して外部接続されたディジタル録音機器８（図１）に送出する。この暗号化は、ＩＥＥＥ１３９４上で音声や映像などのディジタルコンテンツデータを伝送する際に著作権を保護するという観点から施されるものであり、５ＣＤＴＣＰと呼ばれる規格に基づくものである。
【００４０】
このようにしてユーザによって指定されたディジタル録音機器７又は８のいずれか一方に対して、コピー管理データＤCCIが付加された第１又は第２の音声データＤ６、Ｄ７が供給される。かくしてディジタル録音機器７又は８においても、コピー管理データＤCCIのレベルに応じたコピー制限がなされた状態で、第１又は第２の音声データＤ６、Ｄ７を所定の記録媒体（図示せず）に録音し得るようになされている。
【００４１】
以上の構成において、この受信装置５では、コピー管理データＤCCIに基づいて、ユーザが指定した番組の音声データＤ５がコピー禁止又は１回のみコピー可能であると決められている場合、２つのディジタル出力端子２２、２４のうちユーザが指定したいずれか一方のディジタル出力端子２２又は２４に第１又は第２の音声データＤ６、Ｄ７を出力する。
【００４２】
このようにして受信装置５は、ユーザによって指定されたディジタル録音機器７又は８のいずれか一方に対してのみ、コピー管理データＤCCIが付加された第１又は第２の音声データＤ６、Ｄ７を供給することができる。この結果、ディジタル録音機器７又は８においても、コピー管理データＤCCIに基づくコピー制限を施すことができる。
【００４３】
以上の構成によれば、この受信装置５において、コピー管理データＤCCIに基づくコピー制限がある場合のみ、ユーザが指定したいずれか一方のディジタル出力端子２２又は２４のみ音声データＤ５（Ｄ６、Ｄ７）をコピー管理データＤCCIと共に出力するようにしたことにより、当該ディジタル出力端子２２又は２４に接続されたディジタル録音機器７又は８においてもコピー制限を施すことができ、かくして無制限なダビングが実行されるのを未然に回避することができる。
【００４４】
なお上述の実施の形態においては、供給される所定のコピー管理データＤCCIが付加された音声データＤ５（Ｄ６、Ｄ７）を複数のフォーマット（ＩＥＣ９５８及びＩＥＥＥ１３９４のインタフェイスに応じたフォーマット）に変換して出力するようにした場合について述べたが、本発明はこれに限らず、この他種々のディジタルデータに用いられるインタフェイスに応じたフォーマットに変換するようにしても良い。
【００４５】
また上述の実施の形態においては、供給されるディジタルデータとして音声データＤ５を適用した場合について述べたが、本発明はこれに限らず、例えばディジタル化された映像データ等の種々のディジタルデータについて広く適用することができる。
【００４６】
さらに上述の実施の形態においては、供給された音声データＤ５を出力するための複数の出力端子として、ＩＥＣ９５８に対応したディジタル出力端子２２及びＩＥＥＥ１３９４に対応したディジタル出力端子２４を適用した場合について述べたが、本発明はこれに限らず、受信装置に例えばＩＥＣ９５８に対応したディジタル出力端子を複数設けても良いし、ＩＥＥＥ１３９４に対応したディジタル出力端子を複数設けても良い。
【００４７】
さらに上述の実施の形態においては、コピー管理データＤCCIに基づくコピー制限の内容に応じて各出力端子の出力を制御する制御手段としてコントロール部１１を適用した場合について述べたが、本発明はこれに限らず、要は、コピー制限があると判断したとき、複数のディジタル出力端子２２、２４のうち指定された１のディジタル出力端子２２又は２４のみを介して音声データＤ５（Ｄ６、Ｄ７）を出力することができれば、制御手段としてはこの他種々の構成のものを適用しても良い。
【００４８】
この場合、ディジタル出力端子を択一的に指定する手法として、スイッチ１６、１７の一方を接続するように切り換えるのみならず、第１のフォーマット処理部または第２のフォーマット処理の動作を禁止させるようにしても良い。
【００４９】
さらに上述の実施の形態においては、コピー管理データＤCCIに基づくコピー制限を、コピーを認めない第１のレベル、一度だけコピーを認める第２のレベル、及び自由にコピーしても良い第３のレベルに分類した場合について述べたが、本発明はこれに限らず、第２のレベルと第３のレベルの間に、複数回（二度以上）コピーを認めるレベルを必要に応じて設けるようにしても良い。
【００５０】
さらに上述の実施の形態においては、本発明におけるデータ処理装置を、衛星３を用いたディジタル衛星放送に適用した場合について述べたが、本発明はこれに限らず、ディジタル地上波放送、ＣＡＴＶ（Ｃａｂｌｅ  Ｔｅｌｅｖｉ−ｓｉｏｎ）放送等の種々の放送に広く適用することができる。
【００５１】
さらに上述の実施の形態においては、受信装置５内に設けられたディジタル出力端子２２、２４に接続されたディジタル録音機器７、８としてＭＤレコーダを適用した場合について述べたが、本発明はこれに限らず、書換え可能な光ディスク装置やディジタルＶＴＲ等の種々のディジタルデータを記録し得る記録装置に広く適用することができる。
【産業上の利用可能性】
【００５２】
本発明は、供給される所定の管理データが付加されたディジタルデータを複数の出力系統を介して外部出力するデータ処理装置及びデータ処理方法に利用することができる。
【符号の説明】
【００５３】
１……ディジタル放送システム、２……送信装置、３……通信衛星、４……アンテナ、５……受信装置、６……スピーカ、７、８……ディジタル録音機器、１０……フロントエンド部、１１……ＣＰＵ、１２……デスクランブラ、１３……デマルチプレクサ、１４……オーデイオデコーダ、１６、１７……スイッチ、１９……第１のフォーマット処理部、２０……第２のフォーマット処理部、２１……第１の情報付加部、２３……第２の情報付加部、ＤCCI……コピー管理データ。
【図１】
2010259080.tif 000003
【図２】
2010259080.tif 000004
【手続補正書】
【提出日】平成22年6月24日(2010.6.24)
【手続補正２】
【補正対象書類名】明細書
【補正対象項目名】０００１
【補正方法】変更
【補正の内容】
【０００１】  本発明は放送データ処理装置及び放送データ処理方法に関し、例えばディジタル放送（ＤＶＢ：Ｄｉｇｉｔａｌ  Ｖｉｄｅｏ  Ｂｒｏａｄｃａｓｔ）受信装置（ＩＲＤ：Ｉｎｔｅｇｒａｔｅｄ  Ｒｅｃｉｅｖｅｒ  Ｄｅｃｏｄｅｒ）に適用して好適なものである。
【手続補正３】
【補正対象書類名】明細書
【補正対象項目名】００１０
【補正方法】変更
【補正の内容】
【００１０】  本発明は以上の点を考慮してなされたもので、コピー管理を確実に行い得る放送データ処理装置及び放送データ処理方法を提案しようとするものである。
【手続補正４】
【補正対象書類名】明細書
【補正対象項目名】００１２
【補正方法】変更
【補正の内容】
【００１２】  この結果この放送データ処理装置では、管理データに基づくコピー制限がある場合にのみコピー制限を施すことができ、複数の出力端子を介して無制限なダビングが実行されるのを未然に回避することができる。
【手続補正５】
【補正対象書類名】明細書
【補正対象項目名】００１３
【補正方法】変更
【補正の内容】
【００１３】  上述のように本発明によれば、放送データ処理装置において、ディジタルデータと当該ディジタルデータに対応するコピー管理データとを放送波を介して受信する受信手段と、受信されたディジタルデータを第１のデータフォーマットで外部に出力する第１の出力手段と、受信されたディジタルデータを第１のデータフォーマットとは異なる第２のデータフォーマットで外部に出力する第２の出力手段と、コピー管理データに基づき第１及び第２の出力手段からの出力動作を制御する制御手段を有し、制御手段は、コピー管理データの内容が「自由にコピーしても良い」場合は、第１及び第２の出力手段からの出力を許容し、また、コピー管理データの内容が「コピー禁止」あるいは「一度だけコピーを認める」であり、第２の出力手段から出力する場合は、第２のフォーマットを暗号化し、暗号化され第２のフォーマットのデータを第２の出力手段から出力するように制御するようにしたことにより、管理データに基づくコピー制限がある場合にのみコピー制限を施すことができるため、複数の出力端子を介して無制限なダビングが実行されるのを未然に回避することができ、かくしてデータ管理を確実に行い得る放送データ処理装置を実現し得る。